(57)【特許請求の範囲】
【請求項１】
情報処理装置からの映像信号と映像再生装置からの映像信号とのうち、表示手段に表示させる映像信号を選択する選択手段と、
前記情報処理装置を操作するための操作信号を受信する受信手段と、
前記選択手段が前記情報処理装置からの映像信号を前記表示手段に表示させることを選択した場合であって前記受信手段が受信した受信信号が前記情報処理装置を操作するための前記操作信号であると判定された場合には前記受信手段が受信した前記情報処理装置を操作するための前記操作信号を前記情報処理装置に送信することを決定し、前記選択手段が前記映像再生装置からの映像信号を前記表示手段に表示させることを選択した場合であって前記受信手段が受信した受信信号が前記情報処理装置を操作するための前記操作信号であると判定された場合には前記受信手段が受信した前記情報処理装置を操作するための前記操作信号を前記情報処理装置に送信しないことを決定する制御手段と、
前記情報処理装置を操作するための前記操作信号を前記情報処理装置に送信することを前記制御手段が決定した場合には、前記受信手段が受信した前記情報処理装置を操作するための前記操作信号を前記情報処理装置へ送信する通信手段とを有することを特徴とする映像表示装置。
【請求項２】
前記情報処理装置を操作するための信号を前記情報処理装置に送信しないことを前記制御手段が決定した場合には、前記通信手段は、前記情報処理装置に操作を行わないことを示す信号を送信することを特徴とする請求項１に記載の映像表示装置。
【請求項３】
情報処理装置からの映像信号と映像再生装置からの映像信号とのうち、表示手段に表示させる映像信号を選択する選択ステップと、
前記情報処理装置を操作するための操作信号を受信する受信ステップと、
前記情報処理装置からの映像信号を前記表示手段に表示させることを前記選択ステップにおいて選択した場合であって前記受信ステップにおいて受信した受信信号が前記情報処理装置を操作するための前記操作信号であると判定された場合には受信した前記情報処理装置を操作するための前記操作信号を前記情報処理装置に送信することを決定し、前記映像再生装置からの映像信号を前記表示手段に表示させることを前記選択ステップにおいて選択した場合であって前記受信ステップにおいて受信した受信信号が前記情報処理装置を操作するための前記操作信号であると判定された場合には受信した前記情報処理装置を操作するための前記操作信号を前記情報処理装置に送信しないことを決定する制御ステップと、
前記情報処理装置を操作するための前記操作信号を前記情報処理装置に送信することを前記制御ステップにおいて決定した場合には、受信した前記情報処理装置を操作するための前記操作信号を前記情報処理装置へ送信する通信ステップとを有することを特徴とする映像表示方法。
【請求項４】
前記情報処理装置を操作するための信号を前記情報処理装置に送信しないことを前記制御ステップにおいて決定した場合、前記通信ステップにおいて、前記情報処理装置に操作を行わないことを示す信号を送信することを特徴とする請求項３に記載の映像表示方法。
【請求項５】
情報処理装置からの映像信号と映像再生装置からの映像信号とうち、表示手段に表示させる映像信号を選択する選択手順と、
前記情報処理装置を操作するための操作信号を受信する受信手順と、
前記情報処理装置からの映像信号を前記表示手段に表示させることを前記選択手順において選択した場合であって前記受信手順において受信した受信信号が前記情報処理装置を操作するための前記操作信号であると判定された場合には受信した前記情報処理装置を操作するための前記操作信号を前記情報処理装置に送信することを決定し、前記映像再生装置からの映像信号を前記表示手段に表示させることを前記選択手順において選択した場合であって前記受信手順において受信した受信信号が前記情報処理装置を操作するための前記操作信号であると判定された場合には受信した前記情報処理装置を操作するための前記操作信号を前記情報処理装置に送信しないことを決定する制御手順と、
前記情報処理装置を操作するための前記操作信号を前記情報処理装置に送信することを前記制御手順において決定した場合には、受信した前記情報処理装置を操作するための前記操作信号を前記情報処理装置へ送信する通信手順とをコンピュータに実行させるためのプログラム。
【請求項６】
前記情報処理装置を操作するための信号を前記情報処理装置に送信しないことを前記制御手順において決定した場合、前記通信手順において、前記情報処理装置に操作を行わないことを示す信号を送信する処理を前記コンピュータに実行させることを特徴とする請求項５に記載のプログラム。
【発明の詳細な説明】
【技術分野】
【０００１】
本発明は、情報処理装置、映像再生装置等の複数の機器が接続可能な映像表示装置、映像表示方法及びプログラムに関するものである。
【背景技術】
【０００２】
従来のプレゼンテーションは、１台の映像表示装置にＰＣを接続し、ＰＣのプレゼンテーションファイルを表示させながら行われていた。しかし、近年では映像表示装置の高機能化が進み、１台の映像表示装置にＰＣだけでなく、ＤＶＤプレーヤー等も接続可能となり、表示ソースを切り替えながらプレゼンテーションを行うことが可能となっている。
さらには、映像表示装置側からＰＣへ、操作信号を送信することも可能なものもある。これによってプレゼンターは映像表示装置付属のリモコンのボタンを押すことで、表示させるソースを選択し、ＰＣのプレゼンテーションファイルのページ送り等を操作できる。
【０００３】
しかし、この場合、次のような不具合が生じる。
ＤＶＤプレーヤーの映像を表示中に、誤ってＰＣを操作するボタンを押してしまうと、表示はされていないが、ＰＣの画面は操作信号によって変化してしまう。その後、ＰＣの画面に切り替えた際に、プレゼンターは意図しないＰＣの画面に戸惑い、プレゼンテーションの進行に支障をきたしてしまう。
このような問題を解決する方法として、特許文献１では１台の入力装置を用いた、複数のＰＣを効率よく制御する映像表示装置を開示している。特許文献１の映像表示装置では、１台の入力装置からのＰＣ操作信号を現在表示しているＰＣへ送ることで、意図しないＰＣ操作を防いでいる。したがって、特許文献１に開示されている方法は、複数台のＰＣにおける誤操作防止には有効である。
【０００４】
【特許文献１】特開２００３−２２１７７号公報
【発明の開示】
【発明が解決しようとする課題】
【０００５】
しかし、特許文献１に開示された技術は、ＤＶＤプレーヤー等のＰＣ操作信号を受け付けない外部機器の接続が想定されておらず、さらには入力装置からのＰＣ操作信号は必ず何れかのＰＣに送信されることになっている。このため、ＰＣとＤＶＤプレーヤーを接続した場合、ＰＣの誤操作防止が有効かどうかは不明瞭で、かつＤＶＤプレーヤーの方へＰＣ操作信号を送信してしまい、ＤＶＤプレーヤーが思わぬ動作をしてしまう恐れがある。
【０００６】
このような問題を解決するためには、ＤＶＤプレーヤー等のＰＣ以外の外部機器が接続された場合の入力装置からのＰＣ操作信号の扱い方を明確にし、ＤＶＤプレーヤーにＰＣ操作信号が送信されないような手段が必要である。
本発明は、前記の問題を解決するためになされたものであり、プレゼンターが情報処理装置（ＰＣ）と映像再生装置（ＤＶＤプレーヤー）とを用いた円滑なプレゼンテーションを遂行できるようにすることを目的とする。
【課題を解決するための手段】
【０００７】
本発明は、情報処理装置からの映像信号と映像再生装置からの映像信号とのうち、表示手段に表示させる映像信号を選択する選択手段と、
前記情報処理装置を操作するための操作信号を受信する受信手段と、
前記選択手段が前記情報処理装置からの映像信号を前記表示手段に表示させることを選択した場合であって前記受信手段が受信した受信信号が前記情報処理装置を操作するための前記操作信号であると判定された場合には前記受信手段が受信した前記情報処理装置を操作するための前記操作信号を前記情報処理装置に送信することを決定し、前記選択手段が前記映像再生装置からの映像信号を前記表示手段に表示させることを選択した場合であって前記受信手段が受信した受信信号が前記情報処理装置を操作するための前記操作信号であると判定された場合には前記受信手段が受信した前記情報処理装置を操作するための前記操作信号を前記情報処理装置に送信しないことを決定する制御手段と、
前記情報処理装置を操作するための前記操作信号を前記情報処理装置に送信することを前記制御手段が決定した場合には、前記受信手段が受信した前記情報処理装置を操作するための前記操作信号を前記情報処理装置へ送信する通信手段とを有することを特徴とする。
【発明の効果】
【０００８】
本発明の映像表示装置では、情報処理装置と映像再生装置とを用いた円滑なプレゼンテーションの遂行が可能となる。
【発明を実施するための最良の形態】
【０００９】
（第１の実施形態）
図１は、本実施形態の映像表示装置の構成を示す概念図である。
まず、１０１は、本実施形態に係る映像表示装置である。
映像表示装置１０１は、ＰＣとの映像接続用端子１０２、ＰＣとのデータ通信用端子１０３、ＤＶＤプレーヤーとの映像接続用端子１０４、リモコン信号の受信部１０５を有する。
【００１０】
また、１０６は、リモコンである。１０８は、情報処理装置としてのＰＣである。１０９は、映像再生装置としてのＤＶＤプレーヤーである。なお、ＤＶＤプレーヤー１０９は、他の映像再生装置、例えばビデオカムコーダ等でもよい。
また、ＰＣとの映像接続用端子１０２としては、Ｄ−ｓｕｂ、ＤＶＩ等を想定する。
また、ＰＣとのデータ通信用端子１０３としてはＵＳＢ、ＲＳ−２３２Ｃ等を想定する。
また、ＤＶＤプレーヤーとの映像接続用端子１０４としては、Ｄ３、Ｄ４、Ｓ端子等を想定する。
【００１１】
本実施形態が想定する使用例は以下の通りである。
ＰＣ１０８内のプレゼンテーション用ファイルを映像表示装置１０１に表示させ、リモコン１０６からＰＣ操作信号を送信しながらプレゼンテーションを行う。合間にＤＶＤプレーヤー１０９の映像に切り替える。ＤＶＤプレーヤー１０９の映像を表示中はリモコン１０６によるＰＣ１０８の操作は無効となっているため、ＰＣ１０８を誤操作してしまうことはない。
【００１２】
図２は、本実施形態の映像表示装置を示す機能ブロック図である。図２を参照して本実施形態について説明する。本実施形態の映像表示装置は次の機能部を備えている。
２０１は、ビデオ映像信号入力部である。
２０２は、ＰＣ映像信号入力部である。
２０８は、リモコン入力信号２００１を受信するリモコン信号処理部である。
２０５は、映像表示装置１０１の表示部に表示させる映像信号を決定する表示映像選択部である。
２０６は、ＰＣ１０８への操作信号送信を制御するシステム制御部である。
２０３は、ＰＣ１０８へ操作信号を送信するデータ通信部である。
２０４は、表示映像選択部２０５の決定に従って、ビデオ映像信号入力部２０１からの映像信号と、ＰＣ映像信号入力部２０２からの映像信号とのどちらかを出力する表示映像切替部である。
【００１３】
ビデオ映像信号入力部２０１には、ＤＶＤプレーヤー１０９からのビデオ映像信号２００２が入力される。
ＰＣ映像信号入力部２０２には、ＰＣ１０８からのＰＣ映像信号２００３が入力される。
なお、ビデオ映像信号２００２及びＰＣ映像信号２００３の色空間はＲＧＢ、Ｙ／Ｐｂ／Ｐｒ、ＹＩＱ等何でもよく、また伝送形式もコンポーネント、コンポジット、セパレート等の何れでもよい。
リモコン信号処理部２０８は、受信したリモコン入力信号２００１がチャネル切替信号であれば、表示映像選択部２０５に受け渡し、操作信号であれば、データ通信部２０３に受け渡す。ここで、チャネル切替信号とは、映像表示装置１０１の表示部に表示中の映像を切り替えるための信号である。また、操作信号とは、映像表示装置１０１側からＰＣ１０８の操作を行うための信号である。
【００１４】
表示映像選択部２０５は、チャネル切替信号によって映像表示装置１０１の表示部に表示中の映像を切り替える命令を表示映像切替部２０４に送る。また、表示映像選択部２０５は、現在、映像表示装置１０１の表示部にビデオ映像信号２００２、ＰＣ映像信号２００３のどちらの映像が表示されているのかをシステム制御部２０６に知らせる。
表示映像切替部２０４は、ビデオ映像信号２００２、ＰＣ映像信号２００３のうち、表示映像選択部２０５が選択した表示させるべき映像に切り替え、出力映像信号２００５として出力する。出力映像信号２００５は、映像表示装置１０１の表示部に表示される。
【００１５】
システム制御部２０６は、データ通信部２０３による操作信号のＰＣ１０８への送信を制御する。この制御を、現在、ビデオ映像信号２００２、ＰＣ映像信号２００３のどちらの映像が表示されているのかによって行う。このどちらが表示されているのか、という情報は表示映像選択部２０５から受け取る。
映像表示装置１０１の表示部に表示中の映像がビデオ映像信号２００２であれば、操作信号の送信の禁止をデータ通信部２０３に通知する。
映像表示装置１０１の表示部に表示中の映像がＰＣ映像信号２００３であれば、前記操作信号の送信の許可をデータ通信部２０３に通知する。
データ通信部２０３は、システム制御部２０６が送信を許可している場合、リモコン信号処理部２０８から受け取った操作信号を、ＰＣ１０８へ送信する。
また、システム制御部２０６が送信を禁止している場合、リモコン信号処理部２０８から受け取った操作信号を破棄し、ＰＣ１０８へ送信しない。なお、システム制御部２０６が送信を禁止している場合に、データ通信部２０３が、操作信号の代わりに何も操作しないことを示す信号をＰＣ１０８へ送信するようにしても、ＰＣ１０８にて操作が行われないようにすることができる。
【００１６】
リモコン１０６により入力がなされたときの各機能部の動作を、図３を参照して説明する。図３は、リモコン１０６により、チャネル切替信号もしくは操作信号が入力されたときの動作を示すフローチャートである。図３のフローチャートはリモコン１０６により入力がされたときに発生する。
【００１７】
まず、ステップＳ３０１では、リモコン信号処理部２０８がリモコン入力信号２００１を解析する。その解析の結果、チャネル切替信号であった場合はステップＳ３０２へ、操作信号であった場合はステップＳ３０６へそれぞれ進む。
ステップＳ３０２では、表示映像選択部２０５が表示映像信号の切り替えを表示映像切替部２０４に対して命令する。
ステップＳ３０３では、システム制御部２０６が、映像表示装置１０１の表示部に表示中の映像信号がＰＣ映像信号２００３かどうかを調べる。ＰＣ映像信号２００３を表示中であれば、ステップＳ３０４へ、ＰＣ映像信号２００３を表示中でなければ、ステップＳ３０５へそれぞれ進む。
【００１８】
ステップＳ３０４では、システム制御部２０６が操作信号の送信を許可し、ステップＳ３０５ではシステム制御部２０６が操作信号の送信を禁止する。
ステップＳ３０６では、データ通信部２０３が操作信号の送信の可否を調べる。システム制御部２０６により、操作信号の送信が許可されていればステップＳ３０７へ、送信が禁止されていればステップＳ３０８へそれぞれ進む。
ステップＳ３０７では、データ通信部２０３が操作信号をＰＣ１０８に対して送信し、ステップＳ３０８では、データ通信部２０３が操作信号を破棄し、ＰＣ１０８に対して何も送信しない。
【００１９】
次に、本実施形態の効果について説明する。
本実施形態によれば、映像表示装置を用いたＰＣとＤＶＤプレーヤーとの双方の映像を交互に表示するようなプレゼンテーションにて、ＤＶＤプレーヤーの映像を表示中にＰＣを誤操作してしまうことがなくなり、円滑なプレゼンテーションの遂行が可能となる。
【００２０】
（第２の実施形態）
以上説明した、第１の実施形態の他にも図４に示すような構成による実施形態が考えられる。
４０１は、本実施形態に係る映像表示装置である。
４０６は、リモコンである。４０９は、第１外部機器である。４０８は、第２外部機器である。
映像表示装置４０１は、第１外部機器４０９と接続される第１映像接続用端子４０２、第１外部機器４０９とデータのやり取りを行うデータ通信用端子４０３、第２外部機器４０８と接続される第２映像接続用端子４０４、リモコン信号の受信部４０５を有する。
【００２１】
本実施形態ではＰＣを第１映像接続用端子４０２及び第２映像接続用端子４０４のどちらに接続しても、映像表示装置４０１の表示部に該ＰＣの映像信号を表示可能である。ＤＶＤプレーヤーに関しても同様に表示可能である。そのため、図４の第１外部機器４０９がＤＶＤプレーヤーで、第２外部機器４０８がＰＣであっても、それぞれの映像は表示可能となる。しかし、この接続形態では第１外部機器４０９であるＤＶＤプレーヤーに対して、データ通信用端子４０３を介して操作信号が送信される。
この操作信号がＤＶＤプレーヤー用の信号であればよいが、ＰＣ用の操作信号であった場合、第１外部機器であるＤＶＤプレーヤーは思わぬ動作をしてしまう恐れがある。この対策として、本実施形態では、図５に示すように第１外部機器がＰＣ、ＤＶＤプレーヤー（及びそれに準ずる映像再生装置）のどれなのかを設定するソース設定部５０９を設け、例えばＤＶＤプレーヤーに対してＰＣ用の操作信号が送信されないようにした。
【００２２】
図５は、本実施形態に係る映像表示装置を示す機能ブロック図である。図５を参照して本実施形態について説明する。本実施形態の映像表示装置は次の機能部を備えている。
５０１は、第１映像信号入力部である。
５０２は、第２映像信号入力部である。
５０８は、リモコン入力信号５００１を受信するリモコン信号処理部である。
５０５は、映像表示装置４０１の表示部に表示させる映像信号を決定する表示映像選択部である。
５０６は、第１外部機器４０９への操作信号送信を制御するシステム制御部である。
５０３は、第１外部機器４０９へ操作信号を送信するデータ通信部である。
５０４は、表示映像選択部５０５の決定に従って、第１映像信号５００２と、第２映像信号５００３とのどちらかを出力する表示映像切替部である。
５０９は、第１外部機器４０９の機器の種類（ＰＣ、映像再生装置）を設定するソース設定部である。
【００２３】
第１映像信号入力部５０１及び第２映像信号入力部５０２には、第１外部機器からの映像信号５００２及び第２外部機器からの映像信号５００３がそれぞれ入力される。なお、第１映像信号５００２及び第２映像信号５００３の色空間はＲＧＢ、Ｙ／Ｐｂ／Ｐｒ、ＹＩＱ等何でもよく、また伝送形式もコンポーネント、コンポジット、セパレート等の何れでもよい。
リモコン信号処理部５０８は、受信したリモコン入力信号５００１がチャネル切替信号であれば、表示映像選択部５０５に受け渡し、ＰＣ操作信号であれば、データ通信部５０３に受け渡し、ソース設定信号であれば、ソース設定部５０９に受け渡す。ここで、チャネル切替信号とは、映像表示装置４０１の表示部に表示中の映像を切り替えるための信号である。また、ＰＣ操作信号とは、映像表示装置４０１側からＰＣの操作を行うための信号である。また、ソース設定信号とは、第１外部機器４０９の種類（ＰＣもしくは映像再生装置）を設定するための信号である。
【００２４】
表示映像選択部５０５は、チャネル切替信号によって映像表示装置４０１の表示部に表示中の映像を切り替える命令を表示映像切替部５０４に送る。また、表示映像切替部５０４は、第１映像信号５００２、第２映像信号５００３のうち、表示映像選択部５０５が選択した表示させるべき映像に切り替え、出力映像信号５００５として出力する。出力映像信号５００５は映像表示装置４０１の表示部に表示される。
【００２５】
ソース設定部５０９は、ソース設定信号に従って、第１外部機器の種類（ＰＣもしくは映像再生装置）を設定する。設定した結果をシステム制御部５０６に知らせる。
システム制御部５０６は、データ通信部５０３によるＰＣ操作信号の第１外部機器４０９への送信を制御する。この制御に用いる情報として、第１外部機器の種類（ＰＣもしくは映像再生装置）をソース設定部５０９から受け取る。ソース設定部５０９からの情報により、第１外部機器が映像再生装置であれば、ＰＣ操作信号の送信の禁止をデータ通信部５０３に通知する。第１外部機器がＰＣであれば、操作信号の送信の許可をデータ通信部５０３に通知する。
【００２６】
データ通信部５０３は、システム制御部５０６が送信を許可している場合、リモコン信号処理部５０８から受け取ったＰＣ操作信号を、第１外部機器４０９へ送信する。また、システム制御部５０６が送信を禁止している場合、リモコン信号処理部５０８から受け取ったＰＣ操作信号を破棄し、第１外部機器４０９へ送信しない。なお、システム制御部５０６が送信を禁止している場合に、データ通信部５０３が、操作信号の代わりに何も操作しないことを示す信号（無操作信号）を第１外部機器４０９へ送信するようにしても、第１外部機器４０９にて操作が行われないようにすることができる。
【００２７】
リモコン４０６により入力がなされたときの各機能部の動作を、図６を参照して説明する。図６は、リモコン４０６により、チャネル切替信号もしくはＰＣ操作信号もしくはソース設定信号が入力されたときの動作を示すフローチャートである。図６のフローチャートはリモコン４０６により入力がなされたときに発生する。
【００２８】
まず、ステップＳ６０１では、リモコン信号処理部５０８がリモコン入力信号５００１を解析する。その解析の結果、チャネル切替信号であった場合はステップＳ６０２へ、ソース設定信号であった場合はステップＳ６０３へ、ＰＣ操作信号であった場合はステップＳ６０７へそれぞれ進む。
ステップＳ６０２では、表示映像選択部５０５が表示映像信号の切り替えを表示映像切替部５０４に対して命令する。
ステップＳ６０３では、ソース設定部５０９が、ソース設定信号に従って、第１外部機器４０９の種類（ＰＣもしくは映像再生装置）を設定し、ステップＳ６０４へ進む。
ステップＳ６０４では、システム制御部５０６が、第１外部機器４０９がＰＣかどうかを調べる。第１外部機器４０９がＰＣであれば、ステップＳ６０５へ、第１外部機器４０９がＰＣでなければ、ステップＳ６０６へそれぞれ進む。
【００２９】
ステップＳ６０５では、システム制御部５０６がＰＣ操作信号の送信を許可し、ステップＳ６０６ではシステム制御部５０６がＰＣ操作信号の送信を禁止する。
ステップＳ６０７では、データ通信部５０３がＰＣ操作信号の送信の可否を調べる。システム制御部５０６により、ＰＣ操作信号の送信が許可されていれば、ステップＳ６０８へ、送信が禁止されていればステップＳ６０９へそれぞれ進む。
ステップＳ６０８では、データ通信部５０３がＰＣ操作信号を第１外部機器４０９に対して送信し、ステップＳ６０９では、データ通信部５０３がＰＣ操作信号を破棄し、第１外部機器４０９に対して何も送信しない。
【００３０】
なお、本実施形態では、ＰＣ操作信号についてのみ説明したが、同様に映像再生装置用信号がＰＣへ送信されないようにすることも可能である。この場合、ソース設定部５０９にて第１外部機器４０９の種類が映像再生装置と設定された場合、システム制御部５０６が映像再生装置用信号の送信を禁止すればよいのである。さらに、第２外部機器４０８用とデータ通信を行うような形態であったとしても、本実施形態と同様の処置でＰＣにはＰＣ操作信号だけを、映像再生装置には映像再生装置操作信号だけを送信可能であることは明らかである。
【００３１】
次に、本実施形態の効果について説明する。
本実施形態によれば、第１外部機器４０９及び第２外部機器４０８としてＰＣ、ＤＶＤプレーヤーのどちらを用いても、ＤＶＤプレーヤーにＰＣの操作信号が送信されることがなく、円滑なプレゼンテーションが可能となる。
【００３２】
上述した本発明の実施形態における映像表示装置を構成する各手段、並びに映像表示方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３３】
また、本発明は、例えば、システム、装置、方法、プログラムもしくは記録媒体等としての実施形態も可能であり、具体的には、複数の機器からなるシステムに適用してもよい。
【００３４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００３５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００３６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００３７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００３８】
【図１】第１の実施形態に係る映像表示装置の構成を示す概念図である。
【図２】第１の実施形態に係る映像表示装置の構成を示す機能ブロック図である。
【図３】第１の実施形態に係る映像表示装置のリモコン入力による処理を説明するフローチャートである。
【図４】第２の実施形態に係る映像表示装置の構成を示す概念図である。
【図５】第２の実施形態に係る映像表示装置の構成を示す機能ブロック図である。
【図６】第２の実施形態に係る映像表示装置のリモコン入力による処理を説明するフローチャートである。
【符号の説明】
【００３９】
１０１  映像表示装置
１０６  リモコン
１０８  情報処理装置としてのＰＣ
１０９  映像再生装置としてのＤＶＤプレーヤー
２０１  ビデオ映像信号入力部
２０２  ＰＣ映像信号入力部
２０３  データ通信部
２０４  表示映像切替部
２０５  表示映像選択部
２０６  システム制御部
２０８  リモコン信号処理部
４０１  映像表示装置
４０６  リモコン
４０８  第２外部機器
４０９  第１外部機器
５０１  第１映像信号入力部
５０２  第２映像信号入力部
５０３  データ通信部
５０４  表示映像切替部
５０５  表示映像選択部
５０６  システム制御部
５０８  リモコン信号処理部
５０９  ソース設定部
【図１】
0005495503.tif 000002
【図２】
0005495503.tif 000003
【図３】
0005495503.tif 000004
【図４】
0005495503.tif 000005
【図５】
0005495503.tif 000006
【図６】
0005495503.tif 000007